(57)【要約】【課題】留金によって確実に抜け止めされた被掛合部材（例えば、愛玩犬用リードの環状の持ち手）の取り外しを容易に行うことのできる留金付フック金具を提供することを目的とする。【解決手段】鉤状のフック本体１２と、前記フック本体１２の開口部Ｓを回転自在に閉塞する留金１４とを備え、前記留金１４は前記フック本体１２の先端部に外方に向けて付勢した状態で係止されると共に、前記留金１４の先端部は前記フック本体１２の内方に向けて湾曲する被掛合部材取り外しガイド部１４ｆを備えるように構成した。【選択図】図１
0003126443.tif 000002
【実用新案登録請求の範囲】
【請求項１】
鉤状のフック本体と前記フック本体の開口部を回転自在に閉塞する留め金とを備え、前記留め金は前記フック本体の先端部に外方に向けて付勢した状態で係止されると共に、前記留め金の先端部は前記フック本体の内方に向けて湾曲する被掛合部材取り外しガイド部を形成してなることを特徴とする留金付フック金具。
【請求項２】
前記フック本体の先端は略球状に形成してなることを特徴とする請求項１に記載の留金付フック金具。
【請求項３】
二以上のフック本体を設けたことを特徴とする請求項１又は２に記載の留金付フック金具。
【請求項４】
請求項１乃至３の何れかに記載の留金付フック金具を取り付けたことを特徴とする愛玩動物用繋留ポール。
【考案の詳細な説明】
【技術分野】
【０００１】
本考案は、例えば、愛玩犬を繋留するために使用する留金付フック金具およびそれを取り付けた愛玩動物用繋留ポールに関する。
【背景技術】
【０００２】
一般的に、散歩の途中で店舗等に立ち寄った際等に、愛玩犬を繋留しておく繋留具として例えば実用新案登録第３０８９４６１号（特許文献１）に記載のような愛玩犬用繋留ポールが公知である。かかる愛玩犬用繋留ポールにあっては、繋留している愛玩犬用リードを容易に取り外しできないように、繋留用のフック金具として留金付フック金具を使用している。
【０００３】
このような留金付フック金具としては、たとえば、実開昭６３−１５７５１８号（実願昭６２−４９０３５）（特許文献２）に記載の如き留金付フック金具が公知である。前記の留金付フック金具は、鉤部を先端に有するフック本体と、前記鉤部の開口を開閉するＵ字状の弾性を有する留め金とからなり、前記留め金は、常態において両側軸部の端に設けた一対の屈曲軸部が前後方向に位置ずれして、前記一対の屈曲軸部の位置ずれを修正した状態で各屈曲軸部を前記フック本体に取り付けて前記留め金の先端部を鉤部の先端部内面に付勢させて開口を閉塞することにより、容易に取り外しができないようにしている。
【０００４】
【特許文献１】実用新案登録第３０８９４６１号公報
【特許文献２】実開昭６３−１５７５１８号公報
【考案の開示】
【考案が解決しようとする課題】
【０００５】
しかしながら、前記の如き構成からなる留金付フック金具は、前記留め金によって被掛合部材（例えば、愛玩犬用リードの環状の持ち手）は、確実に抜け止めされることとなるが、一方において、前記被掛合部材を前記留金付フック金具から取り外す際には、一旦留め金を押下して開放状態としたうえで前記被掛合部材を前記留金付フック金具から取り外す必要がある。従って、例えば、買い物をするために、コンビニエンスストアのような店舗の前に愛玩犬を繋留した場合に、品物によって両手が塞がれて、容易に前記リードを取り外しができないような場合が考えられる。
【０００６】
本考案は、かかる事情に鑑みてなされたものであって、前記留め金によって確実に抜け止めされた被掛合部材（例えば、愛玩犬用リードの環状の持ち手）の取り外しを容易に行うことのできる留金付フック金具およびそれを取り付けた愛玩動物用繋留ポールを提供することを目的とする。
【課題を解決するための手段】
【０００７】
請求項１に記載の留金付フック金具は、鉤状のフック本体と前記フック本体の開口部を回転自在に閉塞する留め金とを備え、前記留め金は前記フック本体の先端部に外方に向けて付勢した状態で係止されると共に、前記留め金の先端部は前記フック本体の内方に向けて湾曲する被掛合部材取り外しガイド部を形成してなることを特徴とする。
【０００８】
請求項１に記載の留金付フック金具にあっては、被掛合部材（例えば、愛玩犬用リードの環状の持ち手）を前記留金付フック金具から取り外す場合は、被掛合部材（例えば、愛玩犬用リードの環状の持ち手）を、前記フック本体と前記留金との間に移動させる場合に、被掛合部材（例えば、愛玩犬用リードの環状の持ち手）を前記フック本体と前記留金との間に案内でき、被掛合部材（例えば、愛玩犬用リードの環状の持ち手）は前記フック本体と前記留金との間に容易に位置することができる。そして、この状態から被掛合部材（例えば、愛玩犬用リードの環状の持ち手）を上方に引っ張ると、被掛合部材（例えば、愛玩犬用リードの環状の持ち手）は、前記フック本体から外れることとなる。
【０００９】
請求項２に記載の留金付フック金具は、請求項１に記載の留金付フック金具において、前記フック本体の先端は略球状に形成してなることを特徴とする。
【００１０】
請求項２に記載の留金付フック金具にあっては、本考案に係る留金付フック金具に被掛合部材（例えば、愛玩犬用リードの環状の持ち手）を引っ掛ける場合において、前記球状部の球面と前記留金との間を被掛合部材（例えば、愛玩犬用リードの環状の持ち手）が滑らかに移動することができ、スムースに被掛合部材（例えば、愛玩犬用リードの環状の持ち手）を掛止することができる。また、被掛合部材（例えば、愛玩犬用リードの環状の持ち手）を前記留金付フック金具から取り外す場合においても、同様にスムースに被掛合部材（例えば、愛玩犬用リードの環状の持ち手）を取り外すことができる。
【００１１】
請求項３に記載の留金付フック金具は、請求項１に記載の留金付フック金具において、二以上のフック本体を設けたことを特徴とする。
【００１２】
請求項３に記載の留金付フック金具にあっては、フック本体が複数個設けられているので、複数の被掛合部材を掛止することができる。従って、例えば本考案に係る留金付フック金具を愛玩動物用の繋留具に使用する場合は、一のフック本体に愛玩動物用リードを掛止し、他のフック本体には糞処理用袋を掛止できる。さらに複数のフック本体に留金を配した場合は、一の留金付フック金具に、複数の愛玩動物を掛止できることとなる。
【００１３】
請求項４に記載の愛玩動物用繋留ポールは、請求項１乃至３の何れかに記載の留金付フック金具を取り付けたことを特徴とする。
【００１４】
請求項４に記載の愛玩動物用繋留ポールにあっては、店舗の入り口等に立設することがき、愛玩動物を容易に繋留することができる。
【考案の効果】
【００１５】
請求項１に記載の留金付フック金具に依れば、鉤状のフック本体と、前記フック本体の開口部を回転自在に閉塞する留め金とを備え、前記留め金は前記フック本体の先端部に外方に向けて付勢した状態で係止されると共に、前記留め金の先端部は前記フック本体の内方に向けて湾曲する被掛合部材取り外しガイド部を備えているので、掛合部材（例えば、愛玩犬用リードの環状の持ち手）を前記留金付フック金具から取り外す場合は、被掛合部材（例えば、愛玩犬用リードの環状の持ち手）を、前記フック本体と前記留金との間に移動させる場合に、被掛合部材（例えば、愛玩犬用リードの環状の持ち手）を前記フック本体と前記留金との間に案内でき、被掛合部材（例えば、愛玩犬用リードの環状の持ち手）は前記フック本体と前記留金との間に容易に位置することができる。
【００１６】
請求項２に記載の留金付フック金具に依れば、請求項１に記載の留金付フック金具において、前記フック本体の先端は略球状に形成しているので、留金付フック金具に被掛合部材（例えば、愛玩犬用リードの環状の持ち手）を引っ掛ける場合において、前記球状部の球面と前記留金との間を被掛合部材（例えば、愛玩犬用リードの環状の持ち手）が滑らかに移動することができ、スムースに被掛合部材（例えば、愛玩犬用リードの環状の持ち手）を掛止することができる。また、被掛合部材（例えば、愛玩犬用リードの環状の持ち手）を前記留金付フック金具から取り外す場合においても、同様にスムースに被掛合部材（例えば、愛玩犬用リードの環状の持ち手）を取り外すことができる。
【００１７】
請求項３に記載の留金付フック金具に依れば、請求項１に記載の留金付フック金具において、二以上のフック本体を設けているので、複数の被掛合部材を掛止することができ、例えば本考案に係る留金付フック金具を愛玩動物用の繋留具に使用する場合は、一のフック本体に愛玩動物用リードを掛止し、他のフック本体には糞処理用袋を掛止できる。さらに複数のフック本体に留金を配した場合は、一の留金付フック金具に複数の愛玩動物を掛止することができる。
【００１８】
請求項４に記載の愛玩動物用繋留ポールに依れば、請求項１乃至３の何れかに記載の留金付フック金具を取り付けているので、店舗の入り口等に立設することがき、愛玩動物を容易に繋留することができる。
【考案を実施するための最良の形態】
【００１９】
以下、本考案を実施するための最良の形態を図面に基づいて具体的に説明する。
【００２０】
図１は留金付フック金具の側面図であり、図２は同正面図である。
【００２１】
図１及び図２において、１０は本考案に係る留金付フック金具であり、該留金付フック金具１０は、縦長長方形状の金属製の基台１１と、該基台１１に溶接等の固定手段によって取り付けられた鉤状のフック本体１２と、該フック本体１２の開口部Ｓ（図４参照）を自身の弾性により回転自在に開閉する留金１４とから構成される。
【００２２】
前記フック本体１２は、その先端方向に向けて先細状となるように先端部１２ａを成形しており、その先端には前記先端部１２ａより径大の球状部１２ｂを形成している。
【００２３】
前記基台１１の上部及び下部には前記留金付フック金具１０を壁面及びポール等に取り付けるためのビス孔１１ａ、１１ａが開設されている。さらに、前記基台１１の上方には前記留金１４を回転自在に支持する取付台１３が固着されている。該取付台１３の両側には、前記留金１４の両端部が回転自在に挿通係止される第１取付孔１３ａ及び第２取付孔１３ｂが段違い状態で穿設されている。該第１取付孔１３ａ及び第２取付孔１３ｂは、同一の内径に形成されている。
【００２４】
一方、前記留金１４は、図３の留金の斜視図に詳細に示すように、弾性を有し且つ第１取付孔１３ａ及び第２取付孔１３ｂの内径よりも若干小さめの鋼製の棒材により略Ｕ形に形成されており、先端部が第１取付孔１３ａに回転自在に挿通係止される長片１４ｃと、先端部が第２取付孔１３ｂに回転自在に挿通係止される短片１４ｄと、長片１４ｃと短片１４ｄの基端部間に連設される連接部１４ｅとを備えている。そして、基端部から若干先端部寄りの箇所を、前記フック本体１２の内方側に湾曲する湾曲部１４ｆを形成している。
【００２５】
そして、前記留金１４の長片１４ｃ及び短片１４ｄの先端部は、図３に示すように、前記取付台１３の第１取付孔１３ａ及び第２取付孔１３ｂに挿通係止されるように内方側へ直角に折り曲げて係止片１４ａ及び１４ｂを形成している。
【００２６】
また、前記留金１４は、前記長片１４ｃの先端と前記短片１４ｄの先端との間隔が、前記第１取付孔１３ａと前記球状部１２ｂ内方側を結ぶ直線と前記第２取付孔１３ｂとの間隔よりも広くなるように、前記連結部１４ｅを支点にして捻った状態としている。
【００２７】
さらに、前記留金１４は、前記連結部１４ｅが前記フック本体１２先端の球状部１２ｂに係止されるように、前記連結部１４ｅを前記フック本体１２の内方に位置させており、この状態で前記長片１４ｃの先端部１４ａを第１取付孔１３ａに、又、前記短片１４ｄの先端部１４ｂを第２取付孔１３ｂに夫々回転自在に挿通係止することによって、前記取付台１３に回動自在に取り付けられる。
【００２８】
従って、前記の取付状態においては、前記留金１４は、前記長片１４ｃの先端と短片１４ｄの先端との間隔が狭まり、弾性変形した状態で前記取付台１３に取り付けられることになるため、前記留金１４は、前記取付台１３に取り付けたときには弾性変形し且つ回動支点（長片１４ｃ及び短片１４ｄの先端部）が段違い状態になっているため、前記留金１４自身の弾性力よって図１に示す取付状態から元の形状（図４の形状）に復元しようとして、その基端部が前記フック本体１２先端の球状部１２ｂに係止されるように附勢されることとなる。
【００２９】
図４は本考案に係る留金付フック金具に、愛玩犬用リードを掛ける場合の側面図であり、図５は本考案に係る留金付フック金具に愛玩犬用リードを掛けた状態の側面図であり、図６は同正面図である。また、図７は本考案に係る留金付フック金具から愛玩犬用リードを外す場合の使用方法を示す側面図である。
【００３０】
前述のように構成された前記留金付フック金具１０は、通常の状態では、図１に示すように、前記留金１４が前記フック本体１２の開口部Ｓを閉鎖するべく、前記留金１４の基端部が前記球状部１２ｂ内方側に係止されるように付勢されている。
【００３１】
そして、前記留金付フック金具１０は、例えば店舗近傍の壁面に直接取り付けたり、または、金属製のポールＰにビスＢ等で取り付けて使用するのであるが、本考案に係る留金付フック金具に愛玩犬用リードＲを引っ掛ける場合は、図４に示すように、先ず、愛玩犬用リードＲの手元部分の環状部を前記留金付フック金具１０の球状部１２ｂと前記留金１４との間に入れ込み、下方（矢印Ｘ方向）に向けて引っ張る。そうすると、前記リードＲは前記球状部１２ｂの球面と前記留金１４との間を滑らかに移動して、前記留金１４を下方に押し下げ、図５及び図６に示すように、前記フック本体１２の内方に進入して掛止されるのである。
【００３２】
一方、前記留金付フック金具１０は、愛玩犬の体高より高い箇所に取り付けられているので、繋留された愛玩犬が前記リードＲを引っ張ったとしても、前記リードＲは斜め下方に引っ張られるだけなので、前記リードＲは前記フック本体１２から容易に離脱することはない。
【００３３】
次に、前記リードＲを前記留金付フック金具１０から取り外す場合は、図７に示すように、先ず、前記リードＲを、前記フック本体１２と前記留金１４との間に移動させる。この場合においては、前記留金１４の基端部には、前記リードＲを前記フック本体１２と前記留金１４との間に容易に案内できるように、湾曲部１４ｆが形成されているので、前記リードＲは前記フック本体１２と前記留金１４との間に容易に位置することができる。なお、この場合は例えば、前記フック本体１２の内方曲面に沿って前記開口部Ｓに向けて摺動するように前記リードＲを移動（矢印Ｙ方向）させると、前記フック本体１２と前記留金１４の湾曲部１４ｆとの間にスムースに位置することができる。
【００３４】
そして、この状態から前記リードＲをややポールＰ方向に向けて上方（矢印Ｚ方向）に引っ張ると、前記リードＲは、前記フック本体１２の先端部と前記湾曲部１４ｆとの間を摺動して、前記フック本体から外れることとなる。
【００３５】
この場合、前記リードＲは、前記フック本体１２の先端部に形成された球状部１２ｂと前記湾曲部１４ｆとの間を移動することとなるので、移動をスムースに行うことができ、前記リードＲを片手で容易に前記留金付フック金具１０から取り外すことができる。
【００３６】
なお、本実施の態様においては、前記留金１４は、一本の棒材によって略コ字状に形成したが、これに限定されるものではなく、例えば、金属板によって形成してもよく、要するに、前記留金１４の基端部に湾曲形状のガイド部を形成すればよいのである。
【００３７】
図８は本考案に係る留金付フック金具を取り付けた愛玩動物用繋留ポールであり、図９は同要部拡大正面図であり、図１０は同要部拡大側面図である。なお、図８乃至図１０において図１乃至図７と共通する部分には同一符号を付して重複する説明は省略する。
【００３８】
図８乃至図１０中、３０はステンレス製の楕円柱状のポールであって、中空状に成形されている。前記ポール３０の下端には、四方に取付孔３１ａを開設したアルミニウム製のベース部材３１が取り付けられている。そして、前記ポール３０の上方には本考案に係る留金付フック金具２０がビスＢにて取り付けられている。
【００３９】
前記留金付フック金具２０は、基台２１の形状を犬のキャラクターの形状とすると共に、前記キャラクターの尻尾に当たる部分を立体的に前方に突出させて、第２フック２２として形成している。前記第２フック２０は、糞処理用袋等を掛止するために設けたものであるが、これに限らず、複数の愛玩動物用リードＲを掛止するために使用しても良く、この場合は、前記留金１４を配設するとよい。また、前記留金付フック金具２０には２個のフック１２，２２を設けているが、これに限らず三以上のフックを設けてもよい。なお、前記ポール３０の下方には、犬の足型を模した巻付金具４０をビスＢにより取り付けている。
【００４０】
前記愛玩動物用繋留ポール３０は、コンビニエンスストア又は金融機関等の店舗入口付近等に配置して、愛玩動物を繋留できるように立設するのであるが、設置方法としては、前記ベース部材の取付孔にアンカーボルト等を打設して舗装面に固定したり、また、前記ポール３０を直接埋設して固定して設置を行う。そして、前記愛玩動物を繋留する場合には、前述のように（図４）、前記リードＲの環状部を前記フック本体１２に掛止して、前記愛玩動物を繋留して、前記巻付金具４０に前記リードＲを巻き付けることによって、前記リードＲの長さ調整を行うと共に、繋留される愛玩動物の引っ張り荷重を前記ポール３０の下方に移動させることとして、前記愛玩動物の引っ張りによって前記ポール３０が傾倒するのを防止しているのである。
【図面の簡単な説明】
【００４１】
【図１】本考案の一実施例による留金付フック金具を示す側面図である。
【図２】同じく正面図である。
【図３】留金の斜視図である。
【図４】本考案に係る留金付フック金具に愛玩犬用リードを掛ける場合の側面図である。
【図５】本考案に係る留金付フック金具に愛玩犬用リードを掛けた状態の側面図である。
【図６】同じく正面図である。
【図７】本考案に係る留金付フック金具から愛玩犬用リードを外す場合の使用方法を示す側面図である。
【図８】本考案に係る留金付フック金具を取り付けた愛玩動物用繋留ポールである。
【図９】同要部拡大正面図である。
【図１０】同要部拡大側面図である。
【符号の説明】
【００４２】
１０    留金付フック金具
１１    基台
１１ａ  ビス孔
１２    フック本体
１２ａ  先端部
１２ｂ  球状部
１３    取付台
１３ａ  第１取付孔
１３ｂ  第２取付孔
１４    留金
１４ａ  係止片
１４ｂ  係止片
１４ｃ  長片
１４ｄ  短片
１４ｅ  連接部
１４ｆ  湾曲部
１５    フック
２０    留金付フック金具
２１    基台
２２    第２フック
３０    ポール
３１    ベース部材
３１ａ  取付孔
４０    巻付金具
Ｂ      ビス
Ｓ      開口部
Ｒ      リード
【図１】
0003126443.tif 000003
【図２】
0003126443.tif 000004
【図３】
0003126443.tif 000005
【図４】
0003126443.tif 000006
【図５】
0003126443.tif 000007
【図６】
0003126443.tif 000008
【図７】
0003126443.tif 000009
【図８】
0003126443.tif 000010
【図９】
0003126443.tif 000011
【図１０】
0003126443.tif 000012